(57)【要約】  本発明は高出力、高放熱効率を備えた発光ダイオード照明装置を提供するものである。本発明の発光ダイオード照明装置によれば、複数のダイオード発光器を備えている。特に、前記ダイオード発光器の動作中に生じた熱は放熱板手段および当該複数の放熱フィンに伝導されるとともに、当該放熱板手段上に均一に分散して、ひいては当該放熱板手段および当該放熱板手段から延設されている複数の放熱フィンから放熱される。【選択図】図４Ａ
2009539233.tif 000002
【特許請求の範囲】
【請求項１】
発光ダイオード照明装置であって、
第１の面と、当該第１の面とは反対側の第２の面とを備えた放熱板手段と、
当該放熱板手段の第２の面から延設されている複数の放熱フィンと、
各第１の伝熱手段が第１の部分と、当該第１の部分から延在するととともに平坦端部を有する第２の部分とに分けられ、各第１の伝熱手段の第１の部分がいずれも当該放熱板手段の第１の面上に接合されており、Ｎが自然数であるＮ個の第１の伝熱手段と、
各ダイオード発光器が当該Ｎ個の第１の伝熱手段中における１個の第１の伝熱手段に対応しており、各ダイオード発光器は当該対応する第１の伝熱手段の平坦端部上に平面で接合されるとともに、電気エネルギの光への変換に用いられるものであり、このうち各ダイオード発光器の動作中に生じた熱は、当該対応する第１の伝熱手段により自身の平坦端部から、当該第２の部分および当該第１の部分を経由して当該放熱板手段および当該複数の放熱フィンに伝導されて、ひいては当該放熱板手段および当該複数の放熱フィンによって放熱されるＮ個のダイオード発光器と、
当該放熱板手段の周囲に結合されて、当該複数の放熱フィンを空気中に露出させるとともに、前記第１の伝熱手段および前記ダイオード発光器を収容するための内部空間を形成している中空筒状体と、
当該放熱板手段に結合される中空筒状体が形成する開口部に接合されて、当該内部空間を封止するよう構成されている透明シールドと、を備えたことを特徴とする発光ダイオード照明装置。
【請求項２】
断熱板手段を更に備えており、当該断熱板手段はその上にＮ個の第１の貫通孔を備え、各第１の貫通孔は前記ダイオード発光器中における１個のダイオード発光器に対応しており、当該断熱板手段は当該中空筒状体内に配設され、更に当該内部空間を第１のチャンバと第２のチャンバとに区画することで、各ダイオード発光器がその対応する第１の貫通孔を貫通して当該第２のチャンバ内に配設されることになり、そして前記第１の伝熱手段の第１の部分が当該第１のチャンバに配設され、各ダイオード発光器の動作中に生じた熱の大部分が当該断熱板手段により、当該第２のチャンバに輻射または伝導しないように断熱する、ことを特徴とする請求項１に記載の発光ダイオード照明装置。
【請求項３】
各第１の伝熱手段の第２の部分とその対応する第１の貫通孔との間に隙間が設けられるとともに、これが絶縁材料で封止されている、ことを特徴とする請求項２に記載に発光ダイオード照明装置。
【請求項４】
その上にＮ個の第２の貫通孔を有している仕切板手段を更に備えており、各第２の貫通孔は前記ダイオード発光器中における１個のダイオード発光器に対応しており、当該仕切板手段は当該中空筒状体内に配設され、ひいては当該第２のチャンバを更に当該第２のチャンバと第３のチャンバとに仕切ることで、各ダイオード発光器をその対応する第２の貫通孔内に配設するか、またはその対応する第２の貫通孔を貫通するとともに当該第３のチャンバ内に配設し、各ダイオード発光器が放射した光が対応する第２の貫通孔を通じて当該透明シールドに向けて出射される、ことを特徴とする請求項２に記載の発光ダイオード照明装置。
【請求項５】
Ｎ個のカップ状反射手段を更に備えており、各反射手段は、当該対応するダイオード発光器が放射した光を当該透明シールドに向けて反射させるために、前記ダイオード発光器中における１個のダイオード発光器に対応するとともに、その対応するダイオード発光器に固定される、ことを特徴とする請求項２に記載の発光ダイオード照明装置。
【請求項６】
Ｎ個の断熱スリーブを更に備えており、各断熱スリーブは前記第１の伝熱手段中における１個の第１の伝熱手段に対応するとともに、当該対応する第１の伝熱手段の第２の部分上に設置されている、ことを特徴とする請求項２に記載の発光ダイオード照明装置。
【請求項７】
当該放熱板手段の第１の面上にＮ本の溝が形成されており、各溝は当該Ｎ個の第１の伝熱手段中における１個の第１の伝熱手段に対応するとともに、それ自身の形状が当該対応する第１の伝熱手段の第１の部分の外表面に対応して密着するようになっている、ことを特徴とする請求項１に記載の発光ダイオード照明装置。
【請求項８】
複数の第２の伝熱手段を更に備えており、前記第２の伝熱手段は前記第１の伝熱手段の間に配設されるとともに、当該放熱板手段の第２の面に接合されており、これにより当該放熱板手段に伝導される熱が当該放熱板手段１１に均一に分散して、ひいては当該放熱板手段および当該複数の放熱フィンによって放熱される、ことを特徴とする請求項１に記載の発光ダイオード照明装置。
【請求項９】
各第１の伝熱手段および当該第２の伝熱手段がそれぞれヒートパイプ、ヒートカラムまたは蒸気チャンバ放熱器である、ことを特徴とする請求項８に記載の発光ダイオード照明装置。
【請求項１０】
当該中空筒状体は、当該断熱リングで当該放熱板手段の周囲に結合されることで、当該放熱板手段に伝導される熱が当該中空筒状体に伝導しないように断熱される、ことを特徴とする請求項１に記載の発光ダイオード照明装置。
【請求項１１】
当該Ｎ個のダイオード発光器中における１個のダイオード発光器が少なくとも１個の発光ダイオードまたは少なくとも１個のレーザダイオードを備えた、ことを特徴とする請求項１に記載の発光ダイオード照明装置。
【請求項１２】
前記ダイオード発光器の発光を制御するために、前記ダイオード発光器にそれぞれ電気的に接続されている制御回路を更に備えた、ことを特徴とする請求項１に記載の発光ダイオード照明装置。
【請求項１３】
当該制御回路が当該中空筒状体内に配設されている、ことを特徴とする請求項１２に記載の発光ダイオード照明装置。
【請求項１４】
当該制御回路が当該中空筒状体の外に配設されている、ことを特徴とする請求項１２に記載の発光ダイオード照明装置。
【発明の詳細な説明】
【技術分野】
【０００１】
本発明は発光ダイオード照明装置（Ｌｉｇｈｔ−ｅｍｉｔｔｉｎｇ ｄｉｏｄｅ ｉｌｌｕｍｉｎａｔｉｎｇ ｅｑｕｉｐｍｅｎｔ）に関し、特に、本発明は高出力、高放熱効率を備えるとともに、防水、断熱および熱分散の均一性を備えた発光ダイオード照明装置に関する。
【背景技術】
【０００２】
発光ダイオード（Ｌｉｇｈｔ ｅｍｉｔｔｉｎｇ ｄｉｏｄｅ、ＬＥＤ）は例えば、省電力、耐振動性、反応が速い、そして量産に適しているなどといった数多くの長所を備えている。したがって、現在、発光ダイオードを光源とした照明装置は絶えず研究され、進歩している。図１を参照されたい。図１Ａはアレイ方式に配列した複数の発光ダイオードを用いた照明装置の正面図であり、図１Ｂは図１Ａ中のＷ−Ｗ線の断面図である。図１に示すように、当該照明装置は複数の発光ダイオードをアレイ方式で配列し、より高い輝度を得ているため、照明装置に用いることができる。しかし例えば米国特許６，５５４，４５１号のように、現在多くの場合、光の方向を調整することで高い輝度を得るというところに発展の重点が置かれているが、熱伝導性、放熱の問題を解決するものではない。しかしながら、従来の高出力の発光ダイオードでは一定時間点灯し続けた後、過度に高温となる問題が起きて、発光ダイオード自身の発光効率を低下させ、輝度が向上しなくなる。したがって、高出力の発光ダイオードを応用した各種製品では優れた熱伝導性、放熱性を持つメカニズムが必要になる。また、複数の発光ダイオードを用いた従来の照明装置は、動作中に熱の分散が不均一になって、照明装置内にて長時間にわたる熱衝撃（Ｈｅａｔ ｉｍｐａｃｔ）を受けた発光ダイオードでは光電的な作用が真っ先に減退（Ｄｅｃａｙ）してしまう。更に推量すれば、発光ダイオードは動作中に熱が発生するものであるが、もしその熱が発光領域に輻射または伝導しないように効果的に断熱できない場合には、発光ダイオードはそれ自身により生じた熱衝撃を受けて、発光効率が低減してしまう。
【発明の概要】
【０００３】
したがって、本発明では、高出力、高放熱効率を備えた発光ダイオード照明装置を提供する。特に、本発明の発光ダイオード照明装置によれば、その熱伝導構造が、発光ダイオードの動作中に生じた熱を素早く均一に分散させるとともに、発光ダイオード自身により生じた熱から発光領域を効果的に断熱する。
【０００４】
また、高出力発光ダイオードを複数応用した照明装置を、もし屋外（例えば街路灯として用いる）に取り付ける場合には、防水上の設計が必要になる。
【０００５】
よって、本発明の範囲は更に、高出力、高放熱効率を備えた発光ダイオード照明装置を提供することにある。特に、本発明の発光ダイオード照明装置によれば、防水設計を備えている。
【０００６】
本発明の好ましい具体的な実施例によれば、発光ダイオード照明装置は、放熱板手段（Ｈｅａｔ−ｄｉｓｓｉｐａｔｉｎｇ ｐｌａｔｅ ｄｅｖｉｃｅ）と、Ｎ個の第１の伝熱手段（Ｈｅａｔ−ｃｏｎｄｕｃｔｉｎｇ ｄｅｖｉｃｅ）と、Ｎ個のダイオード発光器（Ｄｉｏｄｅ ｌｉｇｈｔ−ｅｍｉｔｔｉｎｇ ａｐｐａｒａｔｕｓ）と、中空筒状体（Ｂａｒｒｅｌ）と、透明シールド（Ｔｒａｎｓｐａｒｅｎｔ ｓｈｉｅｌｄ）とを備えている。Ｎは自然数である。当該放熱板手段は第１の面と、当該第１の面とは反対側の第２の面とを備えており、当該第２の面には複数の放熱フィン（Ｈｅａｔ−ｄｉｓｓｉｐａｔｉｎｇ ｆｉｎ）が延設されている。各第１の伝熱手段は第１の部分と、当該第１の部分から延在するととともに平坦端部を有する第２の部分とに分けられる。各ダイオード発光器は当該Ｎ個の第１の伝熱手段中における１個の第１の伝熱手段に対応しており、各ダイオード発光器は当該対応する第１の伝熱手段の平坦端部上に平面で接合されるとともに、電気エネルギの光への変換に用いられる。各ダイオード発光器の動作中に生じた熱は、当該対応する第１の伝熱手段により自身の平坦端部から、当該第２の部分および当該第１の部分を経由して当該放熱板手段および当該複数の放熱フィンに伝導されて、ひいては当該放熱板手段および当該複数の放熱フィンによって放熱される。当該中空筒状体は、当該放熱板手段の周囲に結合されて、当該複数の放熱フィンを空気中に露出させるとともに、前記第１の伝熱手段および前記ダイオード発光器を収容するための内部空間（Ｓｐａｃｅ）を形成している。当該透明シールドは、当該放熱板手段に結合される中空筒状体が形成する開口部に接合されて、当該内部空間を封止するよう構成されている。
【０００７】
本発明の好ましい具体的な実施例によれば、当該発光ダイオード照明装置は断熱板手段（Ｈｅａｔ−ｉｎｓｕｌａｔｉｎｇ ｐｌａｔｅ ｄｅｖｉｃｅ）を更に備えている。当該断熱板手段はその上にＮ個の第１の貫通孔を備え、各第１の貫通孔は前記ダイオード発光器中における１個のダイオード発光器に対応している。当該断熱板手段は当該中空筒状体内に配設され、更に当該内部空間を第１のチャンバと第２のチャンバとに区画することで、各ダイオード発光器がその対応する第１の貫通孔を貫通して当該第２のチャンバ内に配設されることになり、そして前記第１の伝熱手段の第１の部分が当該第１のチャンバに配設され、各ダイオード発光器の動作中に生じた熱の大部分が当該断熱板手段により、当該第２のチャンバに輻射または伝導しないように断熱することができる。
【０００８】
しかも、当該具体的な実施例によれば、当該発光ダイオード照明装置は断熱リング（Ｈｅａｔ−ｉｎｓｕｌａｔｉｎｇ ｒｉｎｇ）を更に備えている。当該中空筒状体は、当該断熱リングで当該放熱板手段の周囲に結合されることで、当該放熱板手段に伝導される熱が当該中空筒状体に伝導しないように断熱されて、当該発光ダイオード照明装置にて上が熱く下が冷たくなっている場合においては、放熱効率に更に寄与することができる。また、当該断熱リングは、当該発光ダイオード照明装置に液体が直接滲入することも防止でき、当該発光ダイオード照明装置に防水機能を持たせることになる。
したがって、本発明の具体的な実施例によれば、当該発光ダイオード照明装置では効果的に放熱できるうえ、当該発光ダイオード照明装置内に液体が直接滲入するのを防止でき、道路照明装置とするのに充分適している。
【０００９】
本発明の長所および技術的思想は、下記の発明の詳細な説明および図面からより詳しく理解できる。
【図面の簡単な説明】
【００１０】
【図１Ａ】アレイ方式に配列した複数の発光ダイオードを用いた照明装置の正面図である。
【図１Ｂ】図１Ａ中のＷ−Ｗ線の断面図である。
【図２】本発明の好ましい具体的な実施例に係る発光ダイオード照明装置の外観図である。
【図３】当該好ましい具体的な実施例に係る当該発光ダイオード照明装置の主な構成要素の分解透視図である。
【図４Ａ】図２中のＸ−Ｘ線の断面図である。
【図４Ｂ】図２中のＹ−Ｙ線の局部断面図である。
【図４Ｃ】当該第１の伝熱手段の当該第２の部分の末端を平たく折り曲げて当該平坦端部を形成するときの概略図である。
【図５Ａ】当該発光ダイオード照明装置の放熱径路を示すための図２中のＸ−Ｘ線の局部断面図である。
【図５Ｂ】当該発光ダイオード照明装置の放熱径路を示すための当該発光ダイオード照明装置の平面図である。
【図６】当該第２の伝熱手段を前記放熱フィンに垂直となる方向に配設した概略図である。
【発明を実施するための形態】
【００１１】
本発明の主な範囲は、高出力、高放熱効率を備えた発光ダイオード照明装置を提供するところにある。本発明に基づく発光ダイオード照明装置は防水、断熱および熱を均一に分散させる構造を更に備える。
【００１２】
図２、図３、図４Ａおよび図４Ｂを参照されたい。図２は本発明の好ましい具体的な実施例に係る発光ダイオード照明装置１の外観図である。図３は当該好ましい具体的な実施例に係る当該発光ダイオード照明装置１の主な構成要素の分解透視図である。図４Ａは図２中のＸ−Ｘ線の断面図である。図４Ｂは図２中のＹ−Ｙ線の局部断面図である。
【００１３】
本発明の好ましい具体的な実施例によれば、当該発光ダイオード照明装置１は放熱板手段１１と、Ｎ個の第１の伝熱手段１２と、Ｎ個のダイオード発光器１３と、中空筒状体１４と、透明シールド１５とを備えており、このうちＮは自然数である。当該放熱板手段１１は第１の面１１２と、当該第１の面とは反対側の第２の面１１４とを備えており、当該第２の面１１４には複数の放熱フィン１６が延設されている。
【００１４】
各第１の伝熱手段１２は第１の部分１２２と、当該第１の部分１２２から延在するととともに平坦端部１２６を有する第２の部分１２４とに分けられる。当該平坦端部１２６は当該第２の部分１２４の末端部分に形成可能であるか（図４Ｂに示すとおり）、または当該第２の部分１２４の末端を平たく折り曲げて当該平坦端部１２６を形成する（図４Ｃに示すとおり）。
【００１５】
強調しておきたいことは、各ダイオード発光器１３は当該Ｎ個の第１の伝熱手段１２中における１個の第１の伝熱手段１２に対応しており、各ダイオード発光器１３は当該対応する第１の伝熱手段１２の平坦端部１２６上に平面で接合されるとともに、電気エネルギの光への変換に用いられる。これにより、各ダイオード発光器１３の動作中に生じた熱は、当該対応する第１の伝熱手段１２により自身の平坦端部１２６から、当該第２の部分１２４および当該第１の部分１２２を経由して当該放熱板手段１２および当該複数の放熱フィン１６に伝導されて、ひいては当該放熱板手段１１および当該複数の放熱フィン１６によって放熱される。
【００１６】
当該中空筒状体１４は、当該放熱板手段１１の周囲に結合されて、当該複数の放熱フィン１６を空気中に露出させるとともに、前記第１の伝熱手段１２および前記ダイオード発光器１３を収容するための内部空間１７を形成している。当該透明シールド１５は、当該放熱板手段１１に結合される中空筒状体１４が形成する開口部に接合されて、当該内部空間１７を封止するように構成されている。
【００１７】
本発明の好ましい具体的な実施例によれば、当該発光ダイオード照明装置１は断熱板手段１８を更に備えている。当該断熱板手段１８はその上にＮ個の第１の貫通孔１８２を備え、各第１の貫通孔１８２は前記ダイオード発光器１３中における１個のダイオード発光器１３に対応している。当該断熱板手段１８は当該中空筒状体１４内に配設され、更に当該内部空間１７を第１のチャンバ１７２と第２のチャンバ１７４とに区画することで、各ダイオード発光器１３がその対応する第１の貫通孔１８２を貫通して当該第２のチャンバ１７４内に配設されることになり、そして前記第１の伝熱手段１２の第１の部分１２２が当該第１のチャンバ１７２に配設される。より詳細には、各第１の伝熱手段１２の第２の部分１２４とその対応する第１の貫通孔１８２との間にある隙間（Ｇａｐ）１８２２が絶縁材料で封止されている。したがって、各ダイオード発光器１３の動作中に生じた熱の大部分が当該断熱板手段１８により、当該第２のチャンバ１７４に輻射または伝導しないように断熱することができ、また各ダイオード発光器１３の動作中に生じた熱のその自身に対する影響も大幅に低減することができる。
【００１８】
しかも、当該発光ダイオード照明装置１は、Ｎ個の断熱スリーブ（Ｈｅａｔ−ｉｎｓｕｌａｔｉｎｇ ｓｌｅｅｖｅ）１９を更に備えており、各断熱スリーブ１９は前記第１の伝熱手段１２中における１個の第１の伝熱手段１２に対応するとともに、当該対応する第１の伝熱手段１２の第２の部分１２４上に被嵌されることで、前記ダイオード発光器１３の動作中に生じた熱の大部分が前記第１の伝熱手段１２を直接経由して、当該放熱板手段および当該複数の放熱フィン１６に伝導されて放熱されるうえ、当該熱が当該第２のチャンバ１７４および当該第３のチャンバ１７６に放出されるのを減らし、放熱効率を高めている。
【００１９】
また、本発明の好ましい具体的な実施例によれば、当該発光ダイオード照明装置１は断熱リング２０を更に備えている。当該中空筒状体１４は、当該断熱リング２０で当該放熱板手段１１の周囲に結合されることで、当該放熱板手段１１に伝達される熱が当該中空筒状体１４に伝導しないように断熱されて、しかも当該発光ダイオード照明装置にて上が熱く下が冷たくなっている場合において、放熱効率に更に寄与することができる。また、当該断熱リング２０は、当該発光ダイオード照明装置１に液体が直接侵入することも防止でき、当該発光ダイオード照明装置１に防水機能を持たせることになる。当該中空筒状体１４と当該放熱板手段１１の周囲との結合方式は、ねじ止めとすることができ、ねじおよびねじ穴は更に断熱材で被覆してもよい。また当該中空筒状体１４と当該放熱板手段１１の周囲との結合方式は、当該放熱板手段１１および当該中空筒状体１４の内側に溝を形成して、当該断熱リング２０を当該放熱板手段１１の周囲における溝内に嵌合して、次に当該中空筒状体１４の内側の溝を当該断熱リング２０に合わせて嵌合する。
【００２０】
しかも、当該発光ダイオード照明装置１の放熱板手段１１は当該第１の面１１２上にＮ本の溝１１２２を備えている。各溝１１２２は当該Ｎ個の第１の伝熱手段１２中における１個の第１の伝熱手段１２に対応するとともに、それ自身の形状が当該対応する第１の伝熱手段１２の第１の部分１２２の外表面に対応して密着するようになっている。これにより、図５Ａに示すように、前記第１の伝熱手段１２が前記放熱板手段１１に密着するように接合することで、放熱効率を高めている。
【００２１】
また、当該発光ダイオード照明装置１は複数の第２の伝熱手段２１を更に備えている。図５Ｂに示すように、前記第２の伝熱手段２１は前記第１の伝熱手段１２の間（Ｉｎｔｅｒｖａｌ）に配設されるとともに、当該放熱板手段１１の第２の面１１４に接合されており、これにより当該放熱板手段１１に伝導される熱が当該放熱板手段１１に均一に分散して、当該熱が中央領域に過度に集中することがなくなり、放熱効率を高めている。図５Ｂは当該発光ダイオード照明装置１の平面図であり、図中の破線は前記第１の伝熱手段１２の対向する位置を示している。
【００２２】
具体的な実施例において、前記第１の伝熱手段１２および前記第２の伝熱手段２１はそれぞれヒートパイプ（Ｈｅａｔ ｐｉｐｅ）、ヒートカラム（Ｈｅａｔ ｃｏｌｕｍｎ）、蒸気チャンバ放熱器（Ｖａｐｏｒ ｃｈａｍｂｅｒ）またはその他熱伝導性部材とすることができる。前記第１の伝熱手段１２および前記第２の伝熱手段２１はそれぞれ銅、アルミニウムまたはその他熱伝導率の高い材料により製作することができる。
【００２３】
また、図６に示すように、前記第２の伝熱手段２１は当該放熱板手段１１の当該第２の面１１４の位置における軸方向に対して当該放熱フィン１６に垂直となる方向としてもよい。この場合、前記放熱フィン１６は前記第２の伝熱手段２１を配設できるように成形する必要がある。実際の応用においては、優れた放熱効率を得るために、前記第２の伝熱手段２１は前記第１の伝熱手段１２および前記放熱フィン１６の配設に応じて、異なる配設とすることになる。
【００２４】
本発明の好ましい具体的な実施例によれば、当該発光ダイオード照明装置１は仕切板手段（Ｐａｒｔｉｔｉｏｎ ｐｌａｔｅ ｄｅｖｉｃｅ）２２と、Ｎ個のカップ状反射手段（Ｃｕｐ−ｓｈａｐｅｄ ｌｉｇｈｔ−ｒｅｆｌｅｃｔｉｎｇ ｄｅｖｉｃｅ）２３とを備えている。当該仕切板手段２２は、その上にＮ個の第２の貫通孔２２２を備えており、各第２の貫通孔２２２は前記ダイオード発光器１３中における１個のダイオード発光器１３に対応しており、当該仕切板手段２２は当該中空筒状体１４内に配設され、ひいては当該第２のチャンバ１７４を更に当該第２のチャンバ１７４と第３のチャンバ１７６とに仕切ることで、各ダイオード発光器１３をその対応する第２の貫通孔２２２内に配設するか、またはその対応する第２の貫通孔２２２を貫通するとともに当該第３のチャンバ１７６内に配設し、各ダイオード発光器１３が出射した光が対応する第２の貫通孔２２２を通じて当該透明シールド１５に向けて放射される。当該仕切板手段２２は前記ダイオード発光器を補助的に固定することができる。本発明の好ましい具体的な実施例によれば、前記ダイオード発光器１３はその対応する第２の貫通孔２２２内に配設されている。各反射手段２３は、当該対応するダイオード発光器１３が放射した光を当該透明シールドに向けて反射させるために、前記ダイオード発光器１３中における１個のダイオード発光器１３に対応するとともに、その対応するダイオード発光器１３に固定される。
【００２５】
また、本発明の好ましい具体的な実施例によれば、当該発光ダイオード照明装置１は制御回路（図示しない）を更に備えており、当該制御回路は、前記ダイオード発光器の発光を制御するために、前記ダイオード発光器にそれぞれ電気的に接続されている。当該制御回路は当該中空筒状体１４内に配設しても、または当該中空筒状体１４の外に配設してもよい。
【００２６】
具体的な実施例において、前記ダイオード発光器１３中における１個のダイオード発光器１３は少なくとも１個の発光ダイオード（Ｌｉｇｈｔ−ｅｍｉｔｔｉｎｇ ｄｉｏｄｅ）または少なくとも１個のレーザダイオード（Ｌａｓｅｒ ｄｉｏｄｅ）を備えている。具体的な実施例において、各ダイオード発光器１３は白色発光ダイオード、赤色発光ダイオード、緑色発光ダイオードまたは青色発光ダイオード・・・などの単色の発光ダイオードを備えるか、またはＲＧＢ混色の発光ダイオードを備えるとともに、当該制御回路により前記ダイオード発光器１３を微調整し各色の光を生成することで、当該発光ダイオード照明装置１の用途を更に広げることができる。
上記説明により、本発明の発光ダイオード照明装置は効果的に放熱できるばかりでなく、発光ダイオードの動作中に生じた熱を素早く均一に分散させて、発光ダイオード自身により生じた熱から発光領域を効果的に断熱する、ことがはっきりと理解できる。本発明の発光ダイオード照明装置によれば、当該発光ダイオード照明装置内に液体が直接侵入するのを防止でき、道路照明装置とするのに充分適している。更には、もし当該発光ダイオード照明装置の当該ダイオード発光器がＲＧＢ混色の発光ダイオードを備えている場合には、当該発光ダイオード照明装置１は各色の光を生成でき、照明用途以外の用途に用いることができる。
【００２７】
上記した好ましい具体的な実施例の記述により、本発明の特徴および技術的思想が明確化されうることを望むものであり、決して上記に開示した好ましい具体的な実施例により本発明の範囲を限定するものではない。反対に、その目的は各種変更および均等なアレンジが本発明の範囲内に含まれるということを望むものである。
【符号の説明】
【００２８】
１：発光ダイオード照明装置
１１：放熱板手段
１２：第１の伝熱手段
１３：ダイオード発光器
１４：中空筒状体
１５：透明シールド
１６：放熱フィン
１７：内部空間
１８：断熱板手段
１９：断熱スリーブ
２０：断熱リング
２１：第２の伝熱手段
２２：仕切板手段
２３：カップ状反射手段
１１２：第１の面
１１４：第２の面
１２２：第１の部分
１２４：第２の部分
１２６：平坦端部
１７２：第１のチャンバ
１７４：第２のチャンバ
１７６：第３のチャンバ
１８２：第１の貫通孔
２２２：第２の貫通孔
１１２２：溝
１８２２：隙間
【図１Ａ】
2009539233.tif 000003
【図１Ｂ】
2009539233.tif 000004
【図２】
2009539233.tif 000005
【図３】
2009539233.tif 000006
【図４Ａ】
2009539233.tif 000007
【図４Ｂ】
2009539233.tif 000008
【図４Ｃ】
2009539233.tif 000009
【図５Ａ】
2009539233.tif 000010
【図５Ｂ】
2009539233.tif 000011
【図６】
2009539233.tif 000012
【国際調査報告】
2009539233.tif 000013
2009539233.tif 000014
2009539233.tif 000015
2009539233.tif 000016
2009539233.tif 000017
2009539233.tif 000018
2009539233.tif 000019